(57)【要約】【課題】  ２０分間の残り時間と２０秒間の経過時間及び残り時間とを同時に把握できる時計を提供する。【解決手段】  時計１０は２０分間に１回転する第１の指針１２と、２０秒間に１回転する第２の指針１３とを有することを特徴とする。これにより、２０分間を全体とする残り時間と２０秒間を全体とする経過時間及び残り時間との両方を一瞥して把握できる。具体的には、作業者が時計１０を一瞥しながら２０分間という期限の中で１回２０秒間の作業を複数回行うことができる。【選択図】図１
0003227480.tif 000002
【実用新案登録請求の範囲】
【請求項１】
２０分間に１回転する第１の指針と、２０秒間に１回転する第２の指針とを有することを特徴とする時計。
【請求項２】
前記第１の指針と前記第２の指針との両方が同じ回転軸に取り付けられていることを特徴とする請求項１に記載の時計。
【請求項３】
１〜２０の数字が円周状に配列された文字板をさらに有し、前記第１の指針と前記第２の指針とが前記文字板上の前記数字を指示しながら回転するように構成されていることを特徴とする請求項１又は２に記載の時計。
【考案の詳細な説明】
【技術分野】
【０００１】
本考案は２０分間に１回転する第１の指針と２０秒間に１回転する第２の指針との両方を備えた時計に関する。
【背景技術】
【０００２】
従来から、２０分間に１回転する第１の指針を備えた時計は考案されている（特許文献１参照）。また、２０秒間に１回転する第２の指針を備えた時計も考案されている（特許文献２と特許文献３参照）。
【先行技術文献】
【特許文献】
【０００３】
【特許文献１】特開２００３−２８９６９号公報
【特許文献２】特公昭６０−２７９５４号公報
【特許文献３】特公昭３８−１８７９７号公報
【考案の概要】
【考案が解決しようとする課題】
【０００４】
特許文献１に記載された時計は、２０分間に１回転する第１の指針（針）の他に３分２０秒間に１回転する第３の指針（針）を備えている。この第３の指針は２００秒間に１回転し、２０秒間に回転する角度が３６°となっている。この時計を用いて２０分間の中で２０秒単位の作業を複数回行う場合には、時計を一瞥して、つまり、ちらっと見て第１の指針の角度から２０分間を全体とする残り時間を把握することができるが、第３の指針は２０秒間に３６°の角度しか回転しないので、この第３の指針の角度から２０秒間を全体とする経過時間と残り時間を把握しにくいという問題がある。
【０００５】
特許文献２〜３に記載された時計は、競艇の発走時刻を知らせるための時計であり、２０秒間に１回転する第２の指針（２０秒針、他の針）の他に６０秒間に１回転する第４の指針（１分針、１本の針）を備えている。この時計を用いて２０分間の中で２０秒単位の作業を複数回行う場合には、時計を一瞥して第２の指針の角度から２０秒間を全体とする経過時間と残り時間を把握することができるが、第４の指針から２０分間を計測するには第４の指針が２０回転するまで数える必要があるため、第４の指針の角度から２０分間を全体とする残り時間を一瞥して把握できないという問題がある。
【０００６】
そこで、本発明は上記問題点を解決するものであり、その課題は、２０分間を全体とする残り時間と、２０秒間を全体とする経過時間及び残り時間と、の両方を一瞥して同時に把握することができる時計を提供することにある。
【課題を解決するための手段】
【０００７】
上記課題を解決するために本考案の時計は、２０分間に１回転する第１の指針と、２０秒間に１回転する第２の指針とを有することを特徴とする。
【０００８】
この考案によれば、２０分間に１回転する第１の指針と、２０秒間に１回転する第２の指針とを有することにより、前記第１の指針と前記第２の指針との両方又はいずれか一方の角度を凝視したり回転数を数えたりすることなく、時計を一瞥して前記第１の指針の角度から２０分間を全体する残り時間と、前記第２の指針の角度から２０秒間を全体とする経過時間及び残り時間と、の両方を同時に把握することができる。
【０００９】
本考案において、前記第１の指針と前記第２の指針との両方が所定の位置に配置された１本の回転軸に取り付けられていることが好ましい。この考案によれば、前記第１の指針と前記第２の指針との両方が所定の位置に配置された１本の回転軸に取り付けられているので、前記第１の指針と前記第２の指針とが互いに異なる位置に配置された別の回転軸にそれぞれ取り付けられている場合に比べて、前記第１の指針と前記第２の指針との両方の角度を同時に読み取ることができる。
【００１０】
本考案において、１〜２０までの数字が時計回りに周回状に設けられた文字板をさらに有し、前記第１の指針と前記第２の指針とが前記文字板の上に配置され、前記数字を指示可能に回転するように構成されていることが好ましい。この考案によれば、１〜２０までの数字が時計回りに周回状に設けられた文字板をさらに有し、前記第１の指針と前記第２の指針とが前記文字板の上に配置され、前記数字を指示可能に回転するように構成されていることにより、前記第１の指針と前記第２の指針との角度姿勢が意味する時刻と、前記第１の指針と前記第２の指針とが指示する位置にある前記数字とが一致するので、１〜１２までの数字が設けられた一般的な時計の文字板に比べて、考えることなく前記第１の指針と前記第２の指針とが指示する数字をそのまま読み取ることができる。
【考案の効果】
【００１１】
以上、説明したように本考案によれば、２０分間を全体とする残り時間と、２０秒間を全体とする経過時間及び残り時間と、の両方を一瞥して同時に把握することができるという優れた効果を奏し得る。
【図面の簡単な説明】
【００１２】
【図１】本考案に係る実施形態の時計の平面図である。
【図２】金属製品の製造方法の概略工程図である。
【考案を実施するための形態】
【００１３】
以下、本考案に係る実施形態の時計について詳細に説明する。図１は本考案に係る時計の平面図である。図１に示すように、時計１０は文字板１１と第１の指針１２と第２の指針１３とを有する。なお、図中において、矢印Ｕで示す方向を上側とし、矢印Ｄで示す方向を下側とし、矢印Ｕと矢印Ｄで示す方向を縦方向とする。これら方向は相対的な位置関係を示すものであり、重力方向に対する絶対的な位置関係を示すものではない。
【００１４】
文字板１１は円板状であり、表面上に１〜２０の数字１１ａが時計回りに順次設けられている。これら１〜２０の数字１１ａは互いに等間隔に円周状に配列されている。具体的には、文字板１１の中心点Ｃの回りを周回するように時計回りに１８°の角度ずつ１〜２０の数字１１ａが順次配置される。矢印Ｕで示す上側の中央位置に「２０」の数字１１ａが配置され、矢印Ｄで示す下側の中央位置に「１０」の数字１１ａが配置される。このため、「２０」の数字１１ａの位置を角度０°とすると、中心点Ｃの回りを時計回りに角度９０°の位置に「５」の数字１１ａが配置され、角度１８０°の位置に「１０」の数字１１ａが配置され、角度２７０°の位置に「１５」の数字１１ａが配置される。なお、１〜２０の数字１１ａは文字板１１の表面上に直接印刷され又は書き込まれていてもよいし、文字板１１の表面上に１〜２０の数字１１ａを備えた板状部材が貼付されていてもよい。
【００１５】
文字板１１の背面側には図示しない駆動機構が設けられる。この駆動機構はコンセントからの電源などの交流電源につないで駆動するように構成されており、時計回りに回転可能な１本の回転軸１４を備えている。この回転軸１４は一方向に伸びる棒状部材であり、図示しない中心軸と円筒軸とを備えた二重構造を構成している。円筒軸は中空の円筒状でありその中に棒状の中心軸が収容されている。言い換えると、中心軸は外周を円筒軸によって取り囲まれている。回転軸１４の中心軸と円筒軸とは別々に回転可能に構成されている。中心軸が２０秒間に１回転して円筒軸が２０分間に１回転するように構成されていてもよいし、中心軸が２０分間に１回転して円筒軸が２０秒間に１回転するように構成されていてもよい。
【００１６】
文字板１１の中心点Ｃの位置には開口が形成されている。上記駆動機構の回転軸１４は文字板１１の開口に挿通されて、文字板１１を貫通して文字板１１の背面側から表面側へ突出している。このため、回転軸１４は文字板１１の中心点Ｃの位置に配置されている。
【００１７】
第１の指針１２と第２の指針１３とは双方とも一方向に伸びる針状部材であり、その中間部又は一端部が文字板１１の側に突出した回転軸１４の先端に接続されている。このため、第１の指針１２と回転軸１４は側方から見てＴ字状又はＬ字状に接続されているとともに、第２の指針１３と回転軸１４は側方から見てＴ字状又はＬ字状に接続されている。この場合、第１の指針１２が回転軸１４における中心軸の先端に接続され、第２の指針１３が回転軸１４における円筒軸の先端に接続されていてもよいし、第１の指針１２が回転軸１４における円筒軸の先端に接続され、第２の指針１３が回転軸１４における中心軸の先端に接続されていてもよい。
【００１８】
ここで、一般的な時計の駆動機構は回転軸の中心軸と円筒軸とのいずれか一方が６０分間に１回転して、他方が６０秒間に１回転するように構成されている。上記駆動機構はこの一般的な時計の駆動機構を改良したものであり、回転軸１４の中心軸と円筒軸との回転速度が一般的な駆動機構における中心軸と円筒軸との回転速度に比べてそれぞれ３倍となるように設定されている。このため、回転軸の中心軸と円筒軸とのいずれか一方が２０分間に１回転して、他方が２０秒間に１回転するようになっている。
【００１９】
第１の指針１２は回転軸１４の中心軸と円筒軸とのうち２０分間に１回転する側に接続されており、第２の指針１３は回転軸１４の中心軸と円筒軸とのうち２０秒間に１回転する側に接続されている。第１の指針１２と第２の指針１３とは回転軸１４の突出方向に互いに異なる位置に配置されており、互いの回転に干渉することなく回転可能に構成されている。これにより、第１の指針１２は回転軸１４の回りに２０分間に１回転するようになっており、第２の指針１３は回転軸１４の回りに２０秒間に１回転するようになっている。
【００２０】
この場合において、第１の指針１２と第２の指針１３とは両方とも２０目盛分進むと１回転するように構成されている。第１の指針１２と第２の指針１３とにおける１目盛分の回転角度は１８°である。具体的には、第１の指針１２は５分で９０°の角度まで回転し、１０分で１８０°の角度まで回転し、１５分で２７０°の角度まで回転し、２０分で３６０°の角度まで回転（１回転）するようになっている。同様に、第２の指針１３は５秒で９０°の角度まで回転し、１０秒で１８０°の角度まで回転し、１５秒で２７０°の角度まで回転し、２０秒で３６０°の角度まで回転（１回転）するようになっている。１分は６０秒であるので、第２の指針１３が３回転すると、第１の指針１２が１目盛分進むようになっている。このため、第１の指針１２と第２の指針１３の１目盛分の回転角度は６０進法を採用する一般的な時計の分針と秒針の１目盛分の回転角度（６°）に比べて大きいので、一般的な時計の分針と秒針の変化量に比べて、第１の指針１２と第２の指針１３の変化量が分かり易くなっている。
【００２１】
ここで、回転軸１４は文字板１１の中心点Ｃの位置に配置されているので、第１の指針１２と第２の指針１３とは両方とも文字板１１の中心点Ｃの回りに回転可能に構成されており、２０目盛分回転すると１回転するように１目盛分１８°の角度ずつ回転するように構成されている。このとき、文字板１１の表面上には中心点Ｃを中心として円周状に１〜２０の数字１１ａが配置されており、１〜２０の数字１１ａは時計回りに１８°の角度ずつ順次配列されている。これにより、第１の指針１２と第２の指針１３とは両方とも１目盛分ずつ回転することによって文字板１１の上の数字１１ａを１つずつ指示するようになっている。
【００２２】
図２は金属製品の製造方法の概略工程図である。図２に示すように、切削やプレスにて加工された金属部品は、湿式バレル研磨を行う研磨工程と、選別工程と、洗浄工程と、合成被膜をコーティングする又は防錆油を付加する防錆工程と、乾燥工程とを順次行って金属製品を製造する。
【００２３】
このうち、選別工程では、研磨装置から金属部品を取り出して複数のかごなどに入れて小分けにする。この選別工程の所要時間は１０分程度である。洗浄工程では、水や湯などを用いた超音波洗浄をかご毎に実施する。この超音波洗浄の所要時間は１回２０秒程度である。換言すると、１つのかごにつき１回の超音波洗浄を行う。かごは複数あり、全てのかごに対して超音波洗浄を行う。このため、洗浄工程では超音波洗浄を複数回行うことになる。
【００２４】
この金属製品の製造方法において、研磨工程が終了してから防錆工程までの間を２０分以内で行う必要がある。つまり、上記選別工程と洗浄工程との両方を合わせて２０分以内で行う必要がある。２０分を超えると金属製品が水と酸素によって腐食して錆が発生するおそれがあるからである。なお、研磨工程と防錆工程とでは錆は問題とならない。研磨工程では錆が発生したとしてもバレル研磨によって錆を削り取るからであり、防錆工程では金属製品の表面に合成被膜をコーティングしたり防錆油を付加したりするために錆の発生が防止されるからである。
【００２５】
上述のように構成された時計１０を一瞥しながら上記選別工程と洗浄工程を行う。具体的には、図１に示すように、第１の指針１２が１回転するまでに選別工程と洗浄工程との両方が終了するように作業を行いつつ、洗浄工程では第２の指針１３が１回転するまでを超音波洗浄の１回分として、１つのかごにつき超音波洗浄を１回行い、選別工程にて小分けにされた全てのかごに対して超音波洗浄を施すまで、超音波洗浄を複数回行う。
【００２６】
本実施形態においては、時計１０は２０分間に１回転する第１の指針１２と２０秒間に１回転する第２の指針１３とを有するので、洗浄工程において作業の手を休めることなく、時計１０を一瞥するだけで、第１の指針１２によって２０分間の残り時間と、第２の指針１３によって１回２０秒間の超音波洗浄の経過時間及び残り時間との両方を同時に把握することができる。
【００２７】
また、ストップウォッチを用いて２０分間と２０秒間とをそれぞれ計測しながら洗浄工程の作業を行う場合には、作業者とは別に時間を計測する人を別に設ける必要があるが、本実施形態は作業者自らが作業を行いながら時間を確認できるので、時間を計測する人を別に設ける必要がなく、ストップウォッチで時間を計測する場合に比べてコストを低減できる。
【００２８】
この実施形態においては、第１の指針１２と第２の指針１３とは同じ回転軸１４に接続されていることにより、第１の指針１２と第２の指針１３との両方の角度姿勢を同時に見ることができるので、第１の指針１２と第２の指針１３とが別々の回転軸に接続されている場合に比べて、時計１０を見る範囲を低減でき、その分作業に集中できる。
【００２９】
また、第１の指針１２と第２の指針１３とは両方とも１目盛分ずつ回転することによって、文字板１１における１〜２０の数字１１ａを１つずつ指示するようになっているので、１〜１２の数字が記載された一般的な時計の文字板を使用する場合に比べて、第１の指針１２が示す数字１１ａを分として、第２の指針１３が示す数字１１ａを秒として、そのまま読み取ることができる。
【００３０】
尚、本実施形態の時計１０は、上述の図示例にのみ限定されるものではなく、本考案の要旨を逸脱しない範囲内において種々変更を加え得ることは勿論である。例えば、本実施形態の時計１０は第１の指針１２と第２の指針１３とが同じ回転軸１４に接続されているが、それぞれ別の回転軸に接続されていてもよい。
【００３１】
また、本実施形態の時計１０の駆動機構はコンセントからの電源などの交流電源によって駆動するように構成されているが、電池などの直流電源によって駆動するように構成されていてもよいし、振り子やゼンマイなどの機械式によって駆動するように構成されていてもよい。
【００３２】
なお、本実施形態の時計１０は２０分間の中で１回２０秒の作業を複数回行うために、２０分間に１回転する第１の指針１２と２０秒間に１回転する第２の指針１３とを有しているが、１回の作業の秒数が異なる場合にも対応させてもよい。具体的には、２０分間に１回転する第１の指針１２と１０秒間に１回転する指針とを有してもよいし、２０分間に１回転する第１の指針１２と３０秒間に１回転する指針とを有してもよいし、２０分間に１回転する第１の指針１２と４０秒間に１回転する指針とを有してもよいし、２０分間に１回転する第１の指針１２と５０秒間に１回転する指針とを有してもよい。
【００３３】
この反対に、作業全体の締め切り時間が異なる場合にも対応させてもよい。具体的には、１０分間に１回転する指針と２０秒間に１回転する第２の指針１３とを有してもよいし、３０分間に１回転する指針と２０秒間に１回転する第２の指針１３とを有してもよいし、４０分間に１回転する指針と２０秒間に１回転する第２の指針１３とを有してもよいし、５０分間に１回転する指針と２０秒間に１回転する第２の指針とを有してもよい。
【符号の説明】
【００３４】
１０…時計、１１…文字板、１１a…数字、１２…第１の指針、１３…第２の指針、１４…回転軸、Ｃ…中心点、Ｕ，Ｄ…矢印。
【図１】
0003227480.tif 000003
【図２】
0003227480.tif 000004